(57)【要約】【課題】携帯端末へのコンテンツダウンロードに際して、ユーザに対して場所と日時の条件を満たした場合に、連続性のある入手可能なコンテンツを順次提供することで、娯楽性の高い携帯コンテンツ提供システムを実現する。【解決手段】位置情報に基づいてコンテンツ（ノベルス）をダウンロードさせる「位置ノベ」（コロプラ社の商標）において、メインストーリーとサイドストーリーとに分けて、サイドストーリーについては位置登録したりシリアル番号を入力する等、所定の要件を満たさないとダウンロードできないようにしておく。それにより、さらにノベルを読み進む楽しみを実現しエンタティンメント性を向上させる。【選択図】図１
2011191871.tif 000002
【特許請求の範囲】
【請求項１】
位置情報検出システムを備えた携帯端末と、当該携帯端末とネットワークを介して接続されたコンテンツ提供サーバとからなるコンテンツ提供システムであって、
サーバに蓄積されたコンテンツを構成する複数のコンテンツデータファイルと、
前記コンテンツデータファイル毎に所定の位置情報の入力の有無、シリアル番号の入力の可否または日時情報等のダウンロード許可条件を関連付けたコンテンツダウンロード条件テーブルと、
ユーザまたは携帯端末毎に、少なくとも位置情報の登録スタンプの入力情報とシリアル番号の入力情報とを関連付けて管理するユーザ情報管理テーブルとを有し、
前記携帯端末から位置情報の登録スタンプデータの入力情報と、所定のコンテンツデータファイルのダウンロード要求とをネットワークを介して受信すると、前記コンテンツ提供サーバはコンテンツダウンロード条件テーブルとユーザ情報管理テーブルとを参照して、要求されたコンテンツデータファイルのダウンロードの許可を判定し、許可するときには前記コンテンツデータファイルを前記携帯端末に送信するコンテンツ提供システム。
【請求項２】
前記コンテンツデータはテキスト情報からなるストーリーデータであることを特徴とする請求項１記載のコンテンツ提供システム。
【請求項３】
位置情報検出システムを備えた携帯端末と、当該携帯端末とネットワークを介して接続されたコンテンツ提供サーバとからなるコンテンツ提供システムにおいて、
サーバに蓄積されたコンテンツを構成する複数のコンテンツデータファイルと、
前記コンテンツデータファイル毎に所定の位置情報の入力の有無、シリアル番号の入力の可否または日時情報等のダウンロード許可条件を関連付けたコンテンツダウンロード条件テーブルと、
ユーザまたは携帯端末毎に、少なくとも位置情報の登録スタンプの入力情報とシリアル番号の入力情報とを関連付けて管理するユーザ情報管理テーブルとを有しており、
前記コンテンツ提供サーバの中央処理装置が、前記携帯端末から位置情報の登録スタンプデータの入力情報と、所定のコンテンツデータファイルのダウンロード要求とをネットワークを介して受信するステップと、
前記中央処理装置が、コンテンツダウンロード条件テーブルとユーザ情報管理テーブルとを参照して、要求されたコンテンツデータファイルのダウンロードの許可を判定するステップと、
前記中央処理装置は、前記ダウンロードを許可する判定をしたときには、前記コンテンツデータファイルをネットワークを介して前記携帯端末に送信するステップとからなるコンテンツ提供サーバで実行可能なコンテンツ配信プログラム。
【発明の詳細な説明】
【技術分野】
【０００１】
本発明は、ＧＰＳ機能を備えた携帯端末装置で実行されるコンテンツ提供システムに関する。
【背景技術】
【０００２】
ＧＰＳ受信機を内蔵した携帯電話端末を用いたシステムとしては、携帯電話端末のカメラで撮影した空間画像にタグ情報を関連付けたり（頓知ドット・コーポレーションが提供する「セカイカメラ」（同社の商標））や、ナビタイムジャパン社が提供する経路探索・移動ナビゲーションサービス「ＮＡＶＩＴＩＭＥ」（同社の商標）等が知られている。
ある。
【０００３】
また、特許文献としても、特開２００９−６４２１４号公報（特許文献１）があり、ＧＰＳで位置情報を取得してその近辺の店舗情報を出力するものである。
【０００４】
一方、位置認識技術を用いて携帯電話端末を所持するユーザの移動量を価値（ポイントや仮想通貨等）に変換するゲーム（「位置ゲー」株式会社コロプラの商標）として、本出願人による「コロニーな生活ＰＬＵＳ」（同社が提供するサービス）がある。
【０００５】
一方、ＧＰＳの位置情報を使って最近では山手線の駅毎に物語をダウンロードして読ませる仕組みも提案されている。
【先行技術文献】
【特許文献】
【０００６】
【特許文献１】特開２００９−６４２１４号公報
【発明の概要】
【発明が解決しようとする課題】
【０００７】
しかし、上記駅毎にユーザに物語を断片的にダウンロードさせて読ませる仕組みでは、ユーザの読書欲を利用して特定の地域にユーザを誘導する位置誘導ビジネスとして画期的であるものの、ストーリーが断片的であり、かつそれらのストーリーに連続性がないため、飽きやすいものになってしまっていた。
【０００８】
本発明者はこのような点に着目したものであり、ユーザに対して場所と日時の条件を満たした場合に、連続性のある入手可能なコンテンツを順次提供することで、娯楽性の高い携帯コンテンツ提供システムを実現することを技術的課題とする。
【課題を解決するための手段】
【０００９】
前記課題を解決するために本発明では以下の手段を採用した。
【００１０】
本発明の請求項１は、位置情報検出システムを備えた携帯端末と、当該携帯端末とネットワークを介して接続された管理サーバとからなるコンテンツ提供システムであって、管理サーバに蓄積されたコンテンツを構成する複数のコンテンツデータファイルと、前記コンテンツデータファイル毎に所定の位置情報の入力の有無、シリアル番号の入力の可否または日時情報等のダウンロード許可条件を関連付けたコンテンツダウンロード条件テーブルと、ユーザまたは携帯端末毎に、少なくとも位置情報の登録スタンプの入力情報とシリアル番号の入力情報とを関連付けて管理するユーザ情報管理テーブルとを有し、前記携帯端末から位置情報の登録スタンプデータの入力情報と、所定のコンテンツデータファイル
のダウンロード要求とをネットワークを介して受信すると、前記管理サーバはコンテンツダウンロード条件テーブルとユーザ情報管理テーブルとを参照して、要求されたコンテンツデータファイルのダウンロードの許可を判定し、許可するときには前記コンテンツデータファイルを前記携帯端末に送信するコンテンツ提供システムである。
【００１１】
これによれば、ユーザ情報管理テーブルによってユーザ毎のコンテンツデータのダウンロード順番等を管理し、コンテンツダウンロード条件によってコンテンツ毎のダウンロード条件を管理することで、コンテンツの場所毎、時間毎、ユーザ毎のダウンロード許可をきめ細かくコントロールすることが可能となる。
【００１２】
本発明の請求項２は、前記コンテンツデータはテキスト情報からなるストーリーデータであることを特徴とする請求項１記載のコンテンツ提供システムである。
【００１３】
これによれば、いわゆる読書データ（ノベルス）を位置情報とシリアル情報の入力を条件としてダウンロードさせることによって、ユーザの次のノベルスの読書意欲を高めさせることができる。
【００１４】
本発明の請求項３は、位置情報検出システムを備えた携帯端末と、当該携帯端末とネットワークを介して接続された管理サーバとからなるコンテンツ提供システムにおいて、管理サーバに蓄積されたコンテンツを構成する複数のコンテンツデータファイルと、前記コンテンツデータファイル毎に所定の位置情報の入力の有無、シリアル番号の入力の可否または日時情報等のダウンロード許可条件を関連付けたコンテンツダウンロード条件テーブルと、ユーザまたは携帯端末毎に、少なくとも位置情報の登録スタンプの入力情報とシリアル番号の入力情報とを関連付けて管理するユーザ情報管理テーブルとを有しており、管理サーバの中央処理装置が、前記携帯端末から位置情報の登録スタンプデータの入力情報と、所定のコンテンツデータファイルのダウンロード要求とをネットワークを介して受信するステップと、前記中央処理装置が、コンテンツダウンロード条件テーブルとユーザ情報管理テーブルとを参照して、要求されたコンテンツデータファイルのダウンロードの許可を判定するステップと、前記中央処理装置は、前記ダウンロードを許可する判定をしたときには、前記コンテンツデータファイルをネットワークを介して前記携帯端末に送信するステップとからなる管理サーバで実行可能なコンテンツ配信プログラムである。
【００１５】
これによれば、管理サーバから携帯端末に対してユーザ毎のコンテンツデータのダウンロード順番等を管理し、コンテンツダウンロード条件によってコンテンツ毎のダウンロード条件を管理することで、コンテンツの場所毎、時間毎、ユーザ毎のダウンロード許可をきめ細かくコントロールすることが可能となる。
【発明の効果】
【００１６】
本発明によれば、ユーザに対して場所と日時の条件を満たした場合に、連続性のある入手可能なコンテンツを順次提供することで、娯楽性の高い携帯コンテンツを提供することができる。
【図面の簡単な説明】
【００１７】
【図１】本発明の実施形態のストーリーファイルの購読ツリーを示した説明図
【図２】本発明の実施形態のシステム構成図
【図３】実施形態においてコンテンツとして形態端末に表示されるストーリーファイル（ＳＴ１）の内容を示す図
【図４】実施形態においてコンテンツとして形態端末に表示されるストーリーファイル（ＳＴ２）の内容を示す図
【図５】実施形態においてコンテンツとして形態端末に表示されるストーリーファイル（ＳＴ３）の内容を示す図
【図６】実施形態においてコンテンツとして形態端末に表示されるストーリーファイル（ＳＴ２−１）の内容を示す図
【図７】実施形態においてコンテンツとして形態端末に表示されるストーリーファイル（ＳＴ２−２）の内容を示す図
【図８】実施形態においてコンテンツとして形態端末に表示されるストーリーファイル（ＳＴ２−３）の内容を示す図
【図９】実施形態においてコンテンツとして形態端末に表示されるストーリーファイル（ＳＴ２−１−Ｅ）の内容を示す図
【図１０】実施形態においてコンテンツとして形態端末に表示されるストーリーファイル（ＳＴ２−２−Ｅ）の内容を示す図
【図１１】実施形態のユーザ条件テーブルの内容を示す図
【図１２】実施形態のコンテンツダウンロード条件テーブル
【発明を実施するための形態】
【００１８】
以下、本発明の最良の実施形態を図面を用いて説明する。
【００１９】
本実施形態のシステム構成は図２に示すように、汎用のネットワーク（ＮＷ）および基地局（ＢＳ）を介して接続された管理サーバ（ＳＶ）と携帯端末（ＭＯＢ）とで構成されている。
【００２０】
管理サーバ（ＳＶ）は汎用のネットワークサーバであり、図示しない中央処理装置を中心にハードディスク装置等を有している。このハードディスク装置には、コンテンツ閲覧アプリケーション、コンテンツデータ等が格納されている。また、図１２に示すようなコンテンツのダウンロード条件テーブル（ＤＬＴＢＬ）も格納されている。
【００２１】
一方、携帯端末（ＭＯＢ）は汎用の携帯電話端末であり、ＮＴＴドコモ社のｉモード端末（同社の商標）等の他、iPhone（アップル社がライセンスを受けている商標）等のスマートフォン、ＰＤＡ(Personal Data Assistant)端末、ネットブック等の可搬型パーソナ
ルコンピュータ等であってもよい。
【００２２】
携帯端末（ＭＯＢ）は、中央処理装置（ＣＰＵ）およびメインメモリ（ＭＭ）を中心に、ディスプレイ（ＤＳＰ）、操作キー（ＫＥＹ）、メモリ（ＭＥＭ）、ＧＰＳユニット（ＧＰＳ）、通信インターフェース（ＩＦ）等を有している。前記メモリ（ＭＥＭ）には、当該携帯端末（ＭＯＢ）を統合的に制御するオペレーティングシステム（ＯＳ）とともに、本実施形態で用いる読書プログラム等のアプリケーションプログラム（ＡＰＬ）、ユーザテーブル（ＵＳＴＢＬ）等が設定されている。なお、当該ユーザテーブル（ＵＳＴＢＬ）は、説明の便宜上、ユーザが所持する携帯端末（ＭＯＢ）に設定したが、これを同様のテーブルを管理サーバ（ＳＶ）に登録していてもよい。
【００２３】
ＧＰＳユニットは、衛星通信システムの多点測量によって自機（携帯端末）の位置を測定するシステムであり、本実施形態ではユーザが任意の位置でキー操作を行うこと（ＧＰＳスタンプ操作）によって、そのときの位置情報が管理サーバ（ＳＶ）に送信されるようになっている。そして、本実施形態では、このＧＰＳスタンプの情報が管理サーバ（ＳＶ）または携帯端末のユーザテーブル（ＵＳＴＢＬ）とダウンロード条件テーブル（ＤＬＴＢＬ）に登録されるようになっている。
【００２４】
ユーザテーブル（ＵＳＴＢＬ）には、ユーザＩＤと、参加フラグと、ＧＰＳスタンプと、シリアル番号と、既読ファイルと、完読フラグとがそれぞれ関連付けられて登録されるようになっている。参加フラグは当該物語に関連したイベントの参加登録をしたり、物語
の購読を選択した場合、会員登録等をした場合に「１」が登録されるようになっている。ＧＰＳスタンプは、ユーザが携帯端末（ＭＯＢ）のＧＰＳ機能を使って位置登録した位置情報を記録しておく部分である。シリアル番号は、ユーザがキー操作やＱＲコードによって入力したシリアル番号を記録しておく部分である。既読ファイルは、ユーザがダウンロードした既読ファイル毎にフラグ設定するエリアであり、「１」が既読、「０」が未読を意味している。完読フラグは当該物語を完読、すなわち全ストーリーファイルをダウンロードした場合に「１」が設定され完読ユーザであることを意味するようになっている。
【００２５】
一方、ダウンロード条件テーブル（ＤＬＴＢＬ）にはストーリーファイルと、エニィワン条件（anyone）と、ＧＰＳスタンプと、シリアル番号と、ダウンロード許可日時とが関連付けられて登録されている。
【００２６】
ストーリーファイル（ＳＴ１等）はＨＴＭＬ形式のマークアップ言語で記載された可読ファイルであり、図３〜図８で説明したように物語のストーリーを部分的に記載した文章とともにリンク属性等が付加されている。
【００２７】
エニィワン条件（anyone）は、ダウンロード要求してきたユーザに対して無条件にダウンロードを許可するフラグ（「１」が許可、「０」が不許可を意味）を示している。
【００２８】
ＧＰＳスタンプは、特定の位置での位置情報登録を条件としたフラグであり、当該特定位置でのＧＰＳスタンプがキー入力されていることが条件であり、これを満たしている場合に「１」が登録されるようになっている。
【００２９】
シリアル番号は、特定のシリアル番号が入力されたときに「１」のフラグが設定される部分である。
【００３０】
ダウンロード許可日時は、それぞれのストーリーファイルについてダウンロードを許可する期間・日時を登録する部分である。
【００３１】
図１は、本実施形態における複数のノベルデータ、すなわちコンテンツデータの関連を示している。同図ではそれぞれが１ファイルを意味しており、それぞれのファイルにはテキストデータが格納されている。
【００３２】
本実施形態のノベルデータの関係性について、昔話の「桃太郎」を題材に説明する。
【００３３】
本ノベルデータは、メインストーリー（ＳＴ１→ＳＴ２→ＳＴ３）からなり、このメインストーリーの一部（ＳＴ２）はサイドストーリー（ＳＴ２−１、ＳＴ２−２、ＳＴ２−３）を有している。
【００３４】
図１２のダウンロード条件テーブル（ＤＬＴＢＬ）に示したように、メインストーリー（ＳＴ１、ＳＴ２、ＳＴ３）は無条件でユーザが携帯端末にダウンロードして読めるようになっている。ここで、各メインストーリー（たとえば図３に示すストーリーＳＴ１）の末尾には次のメインストーリー（ＳＴ２）へのリンク情報（特定のＵＲＬを属性として有する文字列）「続く」が表示されるようになっており、当該リンク情報「続く」がキー操作で指定入力されると次のメインストーリーＳＴ２がダウンロード可能となっている。
【００３５】
なお、メインストーリーＳＴ２には、図４に示すように次のメインストーリー（ＳＴ３）へのリンク情報「続く」とともに、サイドストーリー（ＳＴ２−１）へのリンク情報「旅の途中、桃太郎には様々な出会いがありました」が表示されるようになっている。このとき、ユーザが次のメインストーリー（ＳＴ３）へのリンク情報「続く」をキー操作で指
示入力したときには次のメインストーリー（ＳＴ３）がダウンロードされて表示される。一方、サイドストーリー（ＳＴ２−１）へのリンク情報を指示入力したときには、サイドストーリー（ＳＴ２−１）のダウンロード要求が管理サーバ（ＳＶ）に送信されるようになっている。
【００３６】
図１２のダウンロード条件テーブル（ＤＬＴＢＬ）に示すように、サイドストーリー（ＳＴ２−１、ＳＴ２−２，ＳＴ２−３）はそれぞれあらかじめ定められた場所でＧＰＳスタンプ操作によって位置登録を行っていることがダウンロードの条件となっている。このＧＰＳスタンプの条件により、ユーザは実際にその指定された場所に赴き、携帯端末からＧＰＳスタンプ操作を行わなければダウンロードして閲覧できないようになっている。
【００３７】
したがって、たとえば管理サーバ（ＳＶ）がサイドストーリー（ＳＴ２−２）のダウンロード要求を受け付けると、このダウンロード管理テーブル（ＤＬＴＢＬ）を参照し、このファイルのダウンロード条件を満たしているか否かを判定する。ここで、サイドストーリー（ＳＴ２−２）のダウンロード条件としては、特定のシリアル番号の入力が条件項目となっている。この条件を満たしていれば当該要求に対してダウンロードを許可する。また、サイドストーリー（ＳＴ２−３）では所定の場所でのＧＰＳスタンプ登録がされたことが条件となっている。この条件を満たしていれば当該要求に対してダウンロードを許可するようになっている。
【００３８】
上記シリアル番号は、あらかじめ定められた店舗で購入する特定の商品に添付されたカードに記載されている。本発明者らは「コロカ」（株式会社コロプラの商標）と呼ばれるシリアル番号が印刷されたカードを、地方の土産物店と提携して当該店舗で販売される地方特産品に添付する運用を行っている。つまり、ユーザはあらかじめ定められた地方に赴いてＧＰＳスタンプ操作を行い、さらに当該地方の土産物店で特産品を購入することで「コロカ」を入手し、当該「コロカ」に印刷されたシリアル番号を携帯端末のキー操作で入力することで、当該サイドストーリー（ＳＴ２−２）が入手できるようになる。シリアル番号はこのように特定の配布方法で配布されるカードに印刷したものであってもよいし、特定の場所で表示される広告で表示したり、インターネットの掲示板やブログ等で告知されるようにしてもよい。また、口コミで知らせるようにしてもよい。また、シリアル番号は一端登録すれば当該ストーリーに関する限り再度登録を不要とする運用も可能である。
【００３９】
図３〜図１０に示した実施形態では、メインストーリー（ＳＴ１〜ＳＴ３）および図６に示すサイドストーリー（ＳＴ２−１）までは全てのユーザが無条件でダウンロードして読めるようになっているが、図７に示すサイドストーリー（ＳＴ２−２）は、図６の画面でシリアル番号の入力がされていないとダウンロードして閲覧することができない。たとえば、たとえば桃太郎伝説の残る岡山県吉備地方の特定地域の土産物店で購入可能な商品に添付された「コロカ」（コロプラ社の商標）と呼ばれるカードに印刷されたシリアル番号を入力することでダウンロード可能となる。ここでシリアル番号の入力ができない場合には図９に示したストーリーファイル（ＳＴ２−１−Ｅ）がダウンロード表示されるようになっている。
【００４０】
さらに、図７で示すサイドストーリー（ＳＴ２−２）では、指定された場所でのタイムスタンプ登録が条件となっている。たとえば桃太郎伝説の残る岡山県吉備地方の特定地域でタイムスタンプ登録がなされていないと当該サイドストーリー（ＳＴ２−３）がダウンロードできないようにしてもよい。ここで、タイムスタンプの登録ができないときには図１０に示すファイル（ＳＴ２−２−Ｅ）がダウンロード表示されるようになっている。
【００４１】
なお、それぞれのストーリーのファイルにはダウンロードを許可する期間（または日時）を設定することが可能となっているため、イベントやツアーと連動して、開始前にダウ
ンロード可能なストーリーファイル、イベントや当日にのみダウンロード可能なストーリーファイル、終了後にダウンロード可能なストーリーファイルをそれぞれ定義することができ、イベントやツアーに連動したコンテンツの提供形態を選ぶことができ、娯楽性をさらに高めることができる。
【００４２】
以上、本実施形態を位置情報に連動して物語をダウンロードさせる、コロプラ社が提供予定の「位置ノベ」（コロプラ社の商標）で説明したが、ユーザにダウンロードさせるコンテンツファイルは物語の文章（ＨＴＭＬ形式のテキストファイル）のみならず、ＰＤＦ形式の漫画、劇画さらにはフラッシュ等で提供される動画コンテンツであってもよい。さらには音声コンテンツ等のファイルであってもよい。
【産業上の利用可能性】
【００４３】
本発明は、位置情報に基づいてダウンロード可能なコンテンツを選択する携帯型エンタティメント分野に利用可能である。
【符号の説明】
【００４４】
ＳＶ  管理サーバ
ＮＷ  ネットワーク
ＢＳ  基地局
ＭＯＢ  携帯端末
ＣＰＵ  中央処理装置
ＭＭ  メインメモリ
ＤＳＰ  ディスプレイ
ＫＥＹ  操作キー
ＢＵＳ  バス
ＭＥＭ  メモリ
ＯＳ  オペレーティングシステム
ＵＳＴＢＬ  ユーザテーブル
ＡＰＬ  アプリケーションプログラム
ＧＰＳ  ＧＰＳユニット
【図１】
2011191871.tif 000003
【図２】
2011191871.tif 000004
【図３】
2011191871.tif 000005
【図４】
2011191871.tif 000006
【図５】
2011191871.tif 000007
【図６】
2011191871.tif 000008
【図７】
2011191871.tif 000009
【図８】
2011191871.tif 000010
【図９】
2011191871.tif 000011
【図１０】
2011191871.tif 000012
【図１１】
2011191871.tif 000013
【図１２】
2011191871.tif 000014